(57)【要約】【課題】内部の通気性を向上し、蒸れを抑制できる吸収性物品を提供する。【解決手段】外装体を備えた吸収性物品であって、前記外装体のウエスト部の周方向と略平行に伸張状態で配置された伸縮部材と、前記伸縮部材の延在方向と略平行に延び、前記外装体の厚み方向において前記伸縮部材と重なるように延びているフルート構成部材と、前記フルート構成部材を前記吸収性物品を構成する部材と接着する複数の接着部であって、前記伸縮部材の延在方向と交差する方向にそれぞれ形成されている複数の接着部と、前記フルート構成部材に設けられ、前記伸縮部材の延在方向と略平行に形成されているフルート形状維持部と、を備える。【選択図】図４
2019136305.tif 000002
【特許請求の範囲】
【請求項１】
外装体を備えた吸収性物品であって、
前記外装体のウエスト部の周方向と略平行に伸張状態で配置された伸縮部材と、
前記伸縮部材の延在方向と略平行に延び、前記外装体の厚み方向において前記伸縮部材と重なるように延びているフルート構成部材と、
前記フルート構成部材を前記吸収性物品を構成する部材と接着する複数の接着部であって、前記伸縮部材の延在方向と交差する方向にそれぞれ形成されている複数の接着部と、
前記フルート構成部材に設けられ、前記伸縮部材の延在方向と略平行に形成されているフルート形状維持部と
を備えることを特徴とする吸収性物品。
【請求項２】
前記フルート形状維持部は、ヒートシールによって形成されることを特徴とする請求項１に記載の吸収性物品。
【請求項３】
前記フルート構成部材は、第１シート片と第２シート片との２層のシート片で構成されており、
前記フルート形状維持部は、前記第１シート片の肌当接面側と前記第２シート片の肌非当接面側とを前記ヒートシールで接着することによって形成されることを特徴とする請求項２に記載の吸収性物品。
【請求項４】
前記外装体の肌当接面側に接合される液不透過性の裏面シートと、前記裏面シートの肌当接面側に接合される液透過性の表面シートと、前記表面シートと前記裏面シートとの間に配置される吸収体と、をさらに備え、
前記伸縮部材は、前記ウエスト部の周方向に沿って前記外装体の内周面に設けられ、前記外装体を構成するシートのウエスト側端部を折り返した部分で挟まれており、
前記フルート構成部材は、前記折り返した部分の肌当接面側に前記複数の接着部を介して接着されていることを特徴とする請求項１から請求項３のいずれか一項に記載の吸収性物品。
【請求項５】
前記フルート構成部材は、互いに同一又は異なる複数の層により構成されることを特徴とする請求項１から請求項４のいずれか一項に記載の吸収性物品。
【発明の詳細な説明】
【技術分野】
【０００１】
本発明は、通気性を向上させることが可能な吸収性物品に関する。
【背景技術】
【０００２】
従来、排出された体液（以下、単に「体液」とも言う）を吸収体に誘導して吸収させる使い捨ておむつ等の吸収性物品が広く知られている。使い捨ておむつでは、そのウエストギャザーが着用者のウエストに密着し、体液が排出された後には、おむつ内部に湿気が篭って蒸れが発生し、着用者に不快感を与える場合がある。
【０００３】
そこで、おむつのインナーカバーシートとアウターカバーシートとの間に糸ゴムを配置して形成されたフルート形状において、インナーカバーシートの肌当接面側に多数の小さい孔を設けることで、おむつの内部の湿気を当該フルートの内部に通しておむつの外部へ逃がし、通気性の向上を図ったものが、例えば、特許文献１に記載されている。また、当該フルートの肌当接面と着用者の肌との間には隙間が形成されうるが、その隙間からも湿気がおむつの外側に逃げる場合も考えられる。
【先行技術文献】
【特許文献】
【０００４】
【特許文献１】特開２０１１−０７８４７７号公報
【発明の概要】
【発明が解決しようとする課題】
【０００５】
しかしながら、特許文献１に記載のおむつでは、着用者の姿勢によって、カバーシートに形成された当該フルート形状がつぶれて、フルート内部やフルートと肌との隙間に形成されていた湿気の通り道が確保されず、通気性が向上しないおそれがある。そのため、おむつ内部の通気性を向上させるおむつの形態には、依然として改良の余地がある。
【０００６】
本発明の目的は、ウエスト部に形成されたフルート形状を維持することで、内部の通気性を向上し、蒸れを抑制できる吸収性物品を提供することにある。
【課題を解決するための手段】
【０００７】
本発明による吸収性物品は、外装体を備えた吸収性物品であって、前記外装体のウエスト部の周方向と略平行に伸張状態で配置された伸縮部材と、前記伸縮部材の延在方向と略平行に延び、前記外装体の厚み方向において前記伸縮部材と重なるように延びているフルート構成部材と、 前記フルート構成部材を前記吸収性物品を構成する部材と接着する複数の接着部であって、前記伸縮部材の延在方向と交差する方向にそれぞれ形成されている複数の接着部と、前記フルート構成部材に設けられ、前記伸縮部材の延在方向と略平行に形成されているフルート形状維持部とを備えることを特徴とする。
【発明の効果】
【０００８】
本発明によれば、ウエスト部に形成されたフルート形状が維持され、空気の通り道を確保することができるので、おむつ内部の通気性を向上し、蒸れを抑制することが可能となる。
【図面の簡単な説明】
【０００９】
【図１】本発明をパンツ型の使い捨ておむつに適用した第１実施形態の外観を模式的に表す立体投影図である。
【図２】図１に示した実施形態のサイドシール部を破って展開した状態の一部破断平面図である。
【図３】図２に示した展開状態のおむつを分解した立体投影図である。
【図４】第１実施形態に係るウエスト部付近を示す図であり、（ａ）は図２のＩＶａ−ＩＶａ方向断面図、（ｂ）は（ａ）を肌当接面側から見たときの一部平面図、（ｃ）は（ｂ）のＩＶｃ−ＩＶｃ方向断面図、（ｄ）は着用状態における（ｃ）である。
【図５】本発明の第２実施形態に係るウエスト部付近を示す図であり、（ａ）は図２のＩＶａ−ＩＶａ方向断面図、（ｂ）は（ａ）を肌当接面側から見たときの一部平面図、（ｃ）は（ｂ）のＶｃ−Ｖｃ方向断面図、（ｄ）は着用状態における（ｃ）である。
【発明を実施するための形態】
【００１０】
＜第１実施形態＞  
本発明をパンツ型の使い捨ておむつに適用した第１実施形態について、図１〜図５を参照しながら詳細に説明する。しかしながら、本発明はこのような実施形態に限らず、その特許請求の範囲、明細書または図面に記載された本発明の概念に包含されるあらゆる変更や修正が可能である。
【００１１】
＜おむつの主な構成＞  
本実施形態によるパンツ型の使い捨ておむつの外観を図１に示し、そのサイドシール部を破って内側を表にして展開した状態の外観を図２に示し、これをさらに分解した状態の外観を図３に示す。図２のおむつ１０については、説明の便宜上、部分的に破断した状態をそれぞれ示している。本実施形態におけるパンツ型の使い捨ておむつ（以下、単に「おむつ」とも言う）１０は、ウエスト周り開口部１１および左右一対の脚周り開口部１２が形成された外装体１３と、この外装体１３の内側に配される吸収体２２とで主要部が構成される。
【００１２】
また、本実施形態におけるおむつ１０は、前身頃領域１０Ｆと、後身頃領域１０Ｒと、これら前身頃領域１０Ｆおよび後身頃領域１０Ｒをつなぐ股下領域１０Ｃとを有する。ウエスト周り開口部１１は、着用時に前身頃領域１０Ｆと後身頃領域１０Ｒとで着用者のウエストの部分を取り囲むように形成されている。同様に、左右一対の脚周り開口部１２は、前身頃領域１０Ｆおよび後身頃領域１０Ｒの下端部と股下領域１０Ｃとで着用者の両脚の太股部分を取り囲むようにそれぞれ形成されている。着用時に前身頃領域１０Ｆは、着用者の腹側に位置し、後身頃領域１０Ｒは着用者の背側に位置する。そして、着用時に股下領域１０Ｃは、着用者の股下を覆い、左右一対の脚周り開口部１２に、着用者の脚がそれぞれ通された形となる。したがって、脚周り開口部１２は、着用者の両脚の付け根から太股あたりのいずれかに位置することとなる。
【００１３】
外装体１３は、（例えば、液不透過性の）外側シート１５と、着用者の肌に当接可能であり不織布にて形成された内側シート１６と、ウエスト周り伸縮部材１７と、ウエスト部１１Ｗにて通気性を確保するためのフルート形状（後述する図４（ｄ）を参照）を構成するフルート構成部材２５とで構成される。本実施形態では、このウエスト部１１Ｗのフルート形状によって、フルート構成部材２５を構成する２層のシート片のうち肌当接側の第２シート片２５ｂと着用者の肌Ｂとの間にフルート構成部材の股下側端部からウエスト側端部への空気の通り道が形成され、おむつの内部から外部へ空気が通り抜ける道が形成されている（後述する図４（ｂ）および図４（ｄ）を参照）。本実施形態では、フルート構成部材２５には、ウエスト部１１Ｗに形成されるフルート形状を維持するためのフルート形状維持部２７が設けられる。フルート構成部材２５およびフルート形状維持部２７の詳細については後述する。
【００１４】
ウエスト周り伸縮部材１７は、外装体１３のウエスト部１１Ｗの周方向と略平行に伸張状態で配置され、張り合わされている。本実施形態では、ウエスト周り伸縮部材１７は、ウエスト部１１Ｗの周方向に沿って外装体１３の内周面に設けられ、外側シート１５のウエスト側端部を折り返した部分で挟まれている。尚、本発明では、これに限られず、ウエスト周り伸縮部材１７を、折り返さない外側シートと当該外側シートと略同じ寸法の内側シートで挟む構成であってもよい。ウエスト周り伸縮部材１７によって着用者のウエストの部分に対応するウエスト周り開口部１１が絞られ、ここにウエストギャザー１１ｇが形成される。ウエストギャザー１１ｇが形成されることによって、ウエスト部１１Ｗにフルート形状（後述する図４（ｄ）を参照）が形成される。
【００１５】
本実施形態では、おむつ１０の腹回り部分には、着用者の腹回りにフィットして、着用感を良くするように、タミー伸縮部材（腹回り伸縮部材）２８が設けられている。タミー伸縮部材２８によって、タミーギャザー２８ｇが形成される。
【００１６】
また、おむつ１０の前身頃領域１０Ｆおよび後身頃領域１０Ｒにおける外装体１３の幅方向の端縁には、ウエスト周り開口部１１と脚周り開口部１２とにつながる左右一対のサイドシール部１９が形成されている。図２に示すような展開状態から外装体１３の前後のサイドシール部１９を相互に重ね合わせ、これらの当接部分を、例えば、超音波溶融接着法を用いて接合する。これにより、ウエスト周り開口部１１と左右一対の脚周り開口部１２とが形成された図１に示すようなおむつ１０を得ることができる。
【００１７】
図１に戻り、細長い矩形のシート状をなす吸収性本体１４は、おむつ１０の前身頃領域１０Ｆから左右の脚周り開口部１２の間の股下領域１０Ｃを通って後身頃領域１０Ｒまで延在する。本実施形態における吸収性本体１４は、液不透過性のバックシート（裏面シート）２０と、このバックシート２０よりも少し小さめの寸法形状を持つ液透過性のトップシート（表面シート）２１と、細長いシート状をなす吸収体２２と、左右一対の疎水性の側方シート（サイドシート）２３とで主要部が構成されている。バックシート２０は、外装体１３の肌当接面側（つまり内側シート１６の肌当接面側）に接合され、吸収体２２は、バックシート２０とトップシート２１との間に配置され、この吸収体２２を介してトップシート２１がバックシート２０の肌当接面側に接合される。
【００１８】
吸収体２２全体を覆うトップシート２１の外周端縁の肌非当接側は、バックシート２０の外周縁部に接合されており、トップシート２１の幅方向両端部の肌当接側は、側方シート２３に接合されている。さらに、側方シート２３の左右両側端縁部は折り返されてバックシート２０の肌非当接側の側端縁部に接合され、側方シート２３の長手方向両端縁部はバックシート２０の長手方向両端縁部に接合されている。従って、トップシート２１の左右両側に覆い重なる左右一対の側方シート２３の内側部分（図２中、中央側）は、トップシート２１に対して非接合状態となっている。この内側部分で立体ギャザー２３ｇを形成するため、側方シート２３の内側端縁部に立体ギャザー伸縮部材（例えば糸ゴム）２４が伸張状態で接合されている。従って、このようなおむつ１０を着用した状態では、尿や便は、吸収性本体１４のトップシート２１上に導かれ、水分がトップシート２１を通過して吸収体２２に吸収されることとなる。
【００１９】
また、左右一対の脚周り伸縮部材１８は、側方シート２３の当該折り返し部分に挟まれるように伸長状態で配されている。左右一対の脚周り伸縮部材１８によって着用者の両脚の太股部分に対応する左右一対の脚周り開口部１２がそれぞれ絞られ、ここにそれぞれレッグギャザー１２ｇが形成される。
【００２０】
トップシート２１の下に位置する本実施形態の吸収体２２は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性コアである。本実施形態の吸収体２２は、前身頃、股下、後身頃に亘るように、細長い形状をしている。ここで、前身頃部分から後身頃部分に向かう方向を前後（上下）方向とし、それに直交する方向を左右方向とすると、本実施形態の吸収体２２は、前後（上下）方向の長さと左右方向の長さとが異なる矩形のものである（図２および図３では、前後（上下）の長さが左右の長さより長くなっている）。なお、本実施形態の吸収体２２の形状はこれに限らず、例えば、前後（上下）左右の長さが同程度の略正方形のもの、前後（上下）端の角が丸く落とされているもの、前後（上下）に延びる楕円形のもの、円形のもの等、さまざまな形状を含む。また、吸収体２２の股下部分には、一対の脚周り開口部１２に対応するように、円弧状または台形、矩形などの四角形状をなす左右一対の切欠き部が形成されても良い。なお、本実施形態に係るおむつ１０では、被覆部材（コアラップ）で包まれていない吸収性コアを吸収体２２として用いているが、本発明に係る吸収性物品では、被覆部材で包まれた吸収体２２を用いてもよい。
【００２１】
＜フルート形状維持部＞  
図４は、第１実施形態に係るウエスト部付近を示す図であり、図４（ａ）は図２のＩＶａ−ＩＶａ方向断面図、図４（ｂ）は図４（ａ）を肌当接面側から見たときの一部平面図、図４（ｃ）は図４（ｂ）のＩＶｃ−ＩＶｃ方向断面図、図４（ｄ）は着用状態における図４（ｃ）である。
【００２２】
上述したように、フルート構成部材２５は、ウエスト部１１Ｗにて通気性を確保するためのフルート形状を構成するものである。フルート構成部材２５は、例えば、不織布で形成されたシートで構成される。本実施形態では、フルート構成部材２５は、第１シート片２５ａと第２シート片２５ｂとの２層のシート片で構成されている。本発明では、フルート構成部材２５は、互いに同一又は異なる複数の層で構成されることが好ましい。この構成により、フルート構成部材２５の強度や剛性を高めることができる結果、上記フルート形状を維持することが可能となる。よって、後述する本実施形態による効果、つまり、おむつ１０の通気性向上に寄与することが可能となる。本実施形態では、第１シート片２５ａと第２シート片２５ｂとは、互いに略同一の形状、大きさを有し、同一の材質で構成されているが、本発明では、フルート構成部材２５を構成する当該複数の層は、互いに同一又は異なる形状、大きさ、材質等で構成されうる。フルート構成部材２５は、外装体１３の外側シート１５のウエスト側端部を折り返した部分の肌当接面側に配置されている。フルート構成部材２５は、ウエスト周り伸縮部材１７の延在方向と略平行に延び、外装体１３の厚み方向においてウエスト周り伸縮部材１７と重なるように延びている。
【００２３】
複数の接着部２６ｆは、フルート構成部材２５を吸収性物品１０を構成する部材と接着するものである。本実施形態では、複数の接着部２６ｆは、図４（ｂ）に示すように、フルート構成部材２５を外装体１３の外側シート１５のウエスト側端部において折り返した部分の肌当接面側に接着している。すなわち、フルート構成部材２５は、折り返した部分の肌当接面側に複数の接着部２６ｆを介して接着されている。
【００２４】
また、複数の接着部２６ｆは、ウエスト周り伸縮部材１７の延在方向と交差する方向にそれぞれ形成されている。本実施形態では、複数の接着部２６ｆは、ウエスト周り伸縮部材１７の延在方向と直交する方向にそれぞれ形成されている。
【００２５】
本実施形態では、ウエスト周り伸縮部材１７は、外側シート１５のウエスト側端部を折り返した部分において、複数の接着部２６ｅを介して、接着固定されている。なお、本実施形態では、外側シート１５の当該折り返した部分の内側対向面は、図４に示すように、複数の接着部２６ｅを介して、ウエスト周り伸縮部材１７の延在方向において部分的に接着されているが、本発明では、ウエスト周り伸縮部材１７の延在方向において連続して接着されてもよい。
【００２６】
フルート形状維持部２７は、フルート構成部材２５に設けられ、ウエスト周り伸縮部材１７の延在方向と略平行に形成されている。本実施形態では、フルート形状維持部２７は、ヒートシールによって形成される。具体的には、フルート形状維持部２７は、第１シート片２５ａの肌当接面側と第２シート片２５ｂの肌非当接面側とをヒートシールで接着することによって形成される。本実施形態では、フルート形状維持部２７は、ヒートシールで形成されているが、本発明ではこれに限られず、ホットメルトなどの接着剤による接着や超音波溶融などによって形成されてもよい。
【００２７】
従来、排出された体液を吸収体に誘導して吸収させる使い捨ておむつ等の吸収性物品は、そのウエストギャザーが着用者のウエストに密着し、体液が排出された後には、おむつ内部に湿気が篭って蒸れが発生し、着用者に不快感を与える場合がある。
【００２８】
そこで、おむつのインナーカバーシートとアウターカバーシートとの間に糸ゴムを配置して形成されたフルート形状において、インナーカバーシートの肌当接面側に多数の小さい孔を設けることで、おむつの内部の湿気を当該フルートの内部に通しておむつの外部へ逃がし、通気性の向上を図ったものが、例えば、特許文献１に記載されている。また、当該フルートの肌当接面と着用者の肌との間には隙間が形成されうるが、その隙間からも湿気がおむつの外側に逃げる場合も考えられる。
【００２９】
しかしながら、特許文献１に記載のおむつでは、着用者の姿勢によって、カバーシートに形成された当該フルート形状がつぶれて、フルート内部やフルートと肌との隙間に形成されていた湿気の通り道が確保されず、通気性が向上しないおそれがある。
【００３０】
本実施形態によれば、ウエスト部１１Ｗに形成されたウエストギャザー１１ｇのフルート形状が維持されるようになるので、おむつ１０と着用者との間にある湿気を、図４（ｄ）に示すように、フルート構成部材２５の第２シート片２５ｂの肌当接側と肌Ｂとの間の隙間Ｇを通って、おむつ１０の外側に逃がし易くすることが可能となる結果、おむつ内部の通気性を向上し、蒸れを抑制することが可能となる。
【００３１】
＜第２実施形態＞  
本発明の第２実施形態は、第１実施形態と異なり、フルート構成部材のシートを１層にすることで、製造時コストの低減を可能にしている。
【００３２】
図５は、本発明の第２実施形態に係るウエスト部付近を示す図であり、図５（ａ）は図２のＩＶａ−ＩＶａ方向断面図、図５（ｂ）は図５（ａ）を肌当接面側から見たときの一部平面図、図５（ｃ）は図５（ｂ）のＶｃ−Ｖｃ方向断面図、図５（ｄ）は着用状態における（ｃ）である。本実施形態に係る吸収性物品を構成する各要素のうち、同様の機能を有するものについては、第１実施形態と同一の符号を付してその説明を省略する。
【００３３】
本実施形態によれば、第１実施形態と同様に、ウエスト部１１Ｗに形成されたウエストギャザー１１’ｇのフルート形状が維持されるようになるので、おむつ１０と着用者との間にある湿気を、図５（ｄ）に示すように、フルート構成部材２５の肌当接側と肌Ｂとの間の隙間Ｇを通って、おむつ１０の外側に逃がし易くすることが可能となる結果、おむつ内部の通気性を向上し、蒸れを抑制することが可能となる。なお、本発明では、１層のフルート構成部材２５の素材として、第１実施形態のような複数層のフルート構成部材２５や外側シート１５の強度、剛性よりも高いものを用いることが好ましい。この構成により、第１実施形態よりもフルート形状を維持することが可能となり、おむつ１０の通気性を向上することが可能となる。
【００３４】
＜その他＞  
本発明は、上述した実施形態や、随所に述べた変形例に限られることなく、本発明の技術的思想から逸脱しない範囲で、適宜の変更や変形が可能である。
【００３５】
例えば、上記各実施形態またはその変形例に係るおむつの構造は、上述したようなパンツ型であって架橋型（２シート型）に限定されるわけではなく、特許請求の範囲に規定された吸収性物品の構成を含む吸収性物品でありさえすれば、どのような構成であってもよい。例えば、吸収体が存在しないパンツタイプ（パッドカバー）などにも本発明を適用可能である。
【００３６】
加えて、上記各実施形態またはその変形例は、乳幼児向けのおむつに限らず、成人向けのおむつなど、各種吸収性物品に適用可能である。
【００３７】
また、上記第１実施形態では、フルート構成部材２５は、第１シート片２５ａおよび第２シート片２５ｂの２枚のシート片で構成されているが、本発明ではこれに限らず、一枚のシート片を折り返したもので構成されてもよい。
【００３８】
さらに、本発明では、ウエストギャザー１１ｇのフルート形状の内部と連通するように、フルート構成部材２５に多数の小さい孔を設ける態様も許容されるものである。この構成により、通気性をさらに向上させることが可能となる。
【符号の説明】
【００３９】
１０  おむつ
１０Ｆ  前身頃領域
１０Ｒ  後身頃領域
１０Ｃ  股下領域
１１  ウエスト周り開口部
１１ｇ、１１’ｇ  ウエストギャザー
１１Ｗ  ウエスト部
１２  脚周り開口部
１３  外装体
１４  吸収性本体
１５  外側シート
１６  内側シート
１７  ウエスト周り伸縮部材
１８  脚周り伸縮部材
１９  サイドシール部
２０  裏面シート（バックシート）
２１  表面シート（トップシート）
２２  吸収体
２３  側方シート（サイドシート）
２３ｇ  立体ギャザー
２４  立体ギャザー伸縮部材
２５  フルート構成部材
２５ａ  第１シート片
２５ｂ  第２シート片
２６ｅ、２６ｆ  接着部
２７  フルート形状維持部
２８  タミー伸縮部材
２８ｇ  タミーギャザー
【図１】
2019136305.tif 000003
【図２】
2019136305.tif 000004
【図３】
2019136305.tif 000005
【図４】
2019136305.tif 000006
【図５】
2019136305.tif 000007